(57)【要約】【課題】特に屋内装飾品等として好適な、映像が形成された鏡筒内の映像を、容易に鑑賞できる万華鏡を提供すること。【解決手段】それぞれオブジェクト側から観察窓に向かって拡大するテーパードミラーを用いた複数の万華鏡の鏡筒を一体化し、該複数の鏡筒間のオブジェクト側の開口部を互いに離間させて、観察窓から観察される複数の連接した立体的映像を形成することにより、鑑賞者は容易に当該映像を鑑賞することができる。【選択図】図２
2015169942.tif 000002
【特許請求の範囲】
【発明の詳細な説明】
【技術分野】
【０００１】  本発明は、複数の鏡筒内に形成される多様な立体状のオブジェクト映像を容易に観賞できる、特に屋内装飾品等として好適な、多鏡筒型万華鏡に関する。
【背景技術】
【０００２】  特許文献１には、鏡筒の観賞窓から目を離して複数の人がオブジェクトの映像を鑑賞することができる万華鏡が開示されている。オブジェクトとしての回転体をオブジェクト窓に配置している。【０００３】  特許文献２には、オブジェクトケース又は鏡筒を回転させて奥行き感がある映像を形成する万華鏡が開示されている。特許文献３には、オブジェクトの模様板を回転可能にしたものが開示されている。この回転板は交換可能になっている。【０００４】  特許文献４には、鏡筒の観賞窓に対向して着脱可能なオブジェクトケースを回転可能にした万華鏡が開示されている。なお、オブジェクトケースと鏡筒は一体に構成されていない。【０００５】  特許文献５には、赤色、緑、及び青色の発光ダイオードでオブジェクトを照明する万華鏡が開示されている。特許文献６には、オブジェクトケース回転型万華鏡が開示されている。【０００６】  特許文献７には、多数のオブジェクト室を形成し、オブジェクト室を移動回転可能にした万華鏡が開示されている。特許文献８には、発光器を収容する容器の動きに応じて動くオブジェクトとの発光器が開示されている。【０００７】  特許文献９には、オブジェクトの回転につれて変化する映像を形成する万華鏡が開示されている。特許文献１０には、発光ファイバーを、ハーフミラーで構成した鏡筒内に入れるようにした万華鏡類似の装置が開示されている。【０００８】  上記公知例には、鏡筒の軸に対して複数の独立した鏡筒を配置する構成、すなわち多鏡筒型万華鏡は示されていない。これについては非特許文献１〜３についても同様である。非特許文献２には１つの鏡筒に複数の異なったミラーシステムを収納した万華鏡が記載されているが、ミラーシステムは相互に鑑賞するものではなく、鏡筒内に複数の異なった映像を形成することを目的としている。
【先行技術文献】
【特許文献】
【０００９】
【特許文献１】特開平７−２８１１２５号公報
【特許文献２】特開平１１−２３７５８５号公報
【特許文献３】特開２００３−５１２５号公報
【特許文献４】特開２００３−２２８０１９号公報
【特許文献５】特開２００４−１５１６１３号公報
【特許文献６】特開２００４−２３３５０２号公報
【特許文献７】特開２００４−３６１７３０号公報
【特許文献８】特開２００５−１４１００１号公報
【特許文献９】特開２００６−１６９０３８号公報
【特許文献１０】特開２００６−１７９４４０号公報
【非特許文献】
【００１０】
【非特許文献１】魅惑の世界  万華鏡  （株）ヴィヴァン
【非特許文献２】手作り万華鏡帳  東京図書出版
【非特許文献３】誰でも作れる万華鏡  （株）日東書院本社
【発明の概要】
【発明が解決しようとする課題】
【００１１】  本発明の目的は、映像が形成された鏡筒内の映像を、容易に鑑賞できる万華鏡を提供することである。更には、複数の立体状映像（奥行きのある映像）が連接した状態でこれを鑑賞することができる万華鏡を提供することである。特に、本発明の万華鏡は、鏡筒に形成される映像が鏡筒の数に応じて増加する、複雑な映像を楽しむことができ、オブジェまたは置物、デコレーション等として好適である。また、オブジェクトの表面方向（鑑賞窓から見た方向または斜方向）またはオブジェクトの背面あるいは斜方向からオブジェクトに対し照明をすることにより、連接した複数の鮮やかな映像を形成することができる。さらに、オブジェクトと鏡筒を相対的に回転または移動させることにより、連接した複数の鮮やかな動く映像を形成することができる。【００１２】  従来の平行型鏡筒を用いる万華鏡においては、鑑賞者が鏡筒内に形成された映像をよく鑑賞するためには、鏡筒を覗き込むあるいはさらに片眼をつむることが必要で、くつろいだ雰囲気で万華鏡を楽しむことができにくいという問題がある。本発明は、上記のような動作がなしに、万華鏡をオブジェクトあるいは置物やデコレーションとして気楽に楽しむことができる万華鏡を提供するものである。特に、万華鏡をオブジェまたは置物として机上等において、鑑賞者が気楽に種々の映像を楽しむことができる万華鏡を提供するものである。【００１３】  また、特定の実施態様においては、鏡筒の鑑賞者側開口部（鑑賞窓）とオブジェクトとの相対位置をＸ−Ｙ方向（オブジェクトと鏡筒の開口部との対向面の平面内のＸ−Ｙ方向）への移動、オブジェクトと鏡筒の開口部（オブジェクト側）の平面内でオブジェクトをＸ又はＹ方向へ移動及び／又はＺ方向（オブジェクト又はオブジェクトと鏡筒対向面の軸方法）への移動等によって変化に富む多様なオブジェクト映像を形成するものである。【００１４】  鏡筒とオブジェクトを相対的に回転または移動させないときは、鏡筒のオブジェクト側の開口をオブジェクト面に接触してもよい。この場合は最も鮮明な映像を観察できることが多い。
【課題を解決するための手段】
【００１５】Ｉ．発明の目的を達成するための構成
（１）テーパード多角形万華鏡のオブジェクト側の複数の開口部同士を望ましい距離だけ離間させる。本発明で用いる鏡筒はいわゆるテーパードミラーの組み合わせである。したがって、オブジェクト側の鏡筒の開口部の面積に対し、鑑賞側窓の開口部の面積は３倍以上特に５倍以上であることが好ましい。【００１６】（２）上記（１）において、オブジェクトをオブジェクト側のそれぞれの開口部に一体化する。これにより、開口部ごとに異なった映像を形成することができる。ただし、本発明においては、鏡筒内に形成される映像は互いに連接していることが特徴である。【００１７】（３）上記（１）において、オブジェクトを鏡筒の軸の周りに回転し、連接した映像が時々刻々と変化するものとすることができる。【００１８】（４）オブジェクト又はオブジェクトとオブジェクトケースを交換可能にした。【００１９】（５）オブジェクトは透明ケースに微細粒子を液体（水、グリセリン、またはシリコーンオイルなど）とともに封入し、あるいは微細粒子単独でオブジェクトケースに封入する。【００２０】（６）オブジェクトは微細粒子たとえば、ビーズ（球及び／または円筒体）で、オブジェクトケースに封入してもよい。【００２１】（７）オブジェクトを支持する軸をモータで駆動するギヤボックスのシャフトに接続することにより、オブジェクトをしっかり保持することができる。【００２２】
【発明の効果】
【００２３】  本発明によれば、連接した映像が形成された鏡筒内の映像を、容易に鑑賞できる万華鏡を提供することができる。更には、複数の立体状映像が連接した状態で鑑賞することができる万華鏡を提供することができる。本発明の万華鏡は、鏡筒内で占める映像の面積を大きく、複雑な映像を楽しむことができ、オブジェまたは置物、デコレーション等の装飾性の優れた万華鏡である。また、特定の実施態様によれば、オブジェクトの表面（鑑賞窓と同じ方向）またはオブジェクトの背面からオブジェクトに対し照明をすることにより、複数の鏡筒に形成さ連接した、鮮やかな映像を形成することができる。さらに、オブジェクトと鏡筒を相対的に回転または移動させることにより、生き生きした、深みのある映像を鑑賞することができる。【００２４】
【図面の簡単な説明】
【００２５】
【図１】実施例１における正面図形が６角形のテーパード万華鏡の正面図である。
【図２】実施例１の万華鏡とオブジェクト及び電動系を連結した側面簡略図である。
【図３】万華鏡の中心軸をギヤボックスのシャフトに直結した実施例２の側面簡略図である。
【図４】テーパード四角形万華鏡を実施例１、２と同様に６個接続し、オブジェクト盤を水平に保って回転させた実施例３の概略図である。
【図５】フロア電気スタンドに実施例２で用いた万華鏡を適用した実施例４の斜視図である。
【図６】額縁にテーパード六角形鏡筒を４個接続した実施例７の万華鏡の斜視図である。
【図７】テーパード六角形万華鏡の開口部の形状（正三角形）を示す図である。
【図８】テーパード十角形万華鏡の開口部の形状（二等辺三角形）を示す図である。
【図９】テーパード八角形万華鏡の開口部の形状（二等辺三角形）を示す図である。
【図１０】テーパード四角形万華鏡の開口部の形状（直角二等辺三角形）を示す図である。
【図１１】テーパードツイン三角形万華鏡内に観察される連接映像の形状を示す図である。
【図１２】テーパード六角形万華鏡の開口部から観察される連接映像の形状を示す図である。
【図１３】鏡筒のオブジェクト側開口部の離間距離を説明するための簡略断面図である。
【発明を実施するための形態】
【００２６】（本発明の説明）
Ｉ．実施の態様
【００２７】（１）複数の反射面によって構成された鏡筒、該鏡筒は鑑賞するオブジェクトに対向する開口部と、該開口部の反対側に位置する鑑賞窓を有し、前記反射面は、前記開口部から前記鑑賞窓に向かって拡大するテーパーを有する形状を有し、
前記開口部は、互いに離間し、鑑賞窓から観察されるオブジェクト映像が連接した複数の立体的映像として表示される多鏡筒複合型万華鏡。本発明において、「複合」という用語は、複数の鏡筒内に形成されるそれぞれの映像が連接する関係に配置されるという意味で用いられており、複数の鏡筒を１つの筒内に配置したものでも鏡筒内の映像が独立したものとは異なる。ここで、「連接した」とは、隣接する鏡筒内の映像の一部が互いに重なっていることを意味する。
【００２８】（２）前記開口部の離間距離ｂは、開口部の多角形の辺ａ（正多角形の場合はその一辺であり、二等辺三角形の場合は、頂角を挟む辺の長さ）の０．５〜３、特に１〜２である上記（１）の多鏡筒複合型万華鏡。ただし、ｂはａの６倍まで可能である。
【００２９】（３）鏡筒と鏡筒との間にスペーサを挿入して前記鏡筒間を離間させる多鏡筒複合型万華鏡。
【００３０】（４）鑑賞者とは反対側で前記オブジェクトの後方から照明を当てる上記（１）−（３）による多鏡筒複合型万華鏡。
【００３１】（５）前記鏡筒とオブジェクトを相対的に回転または移動させる手段を有する上記（１）−（４）による多鏡筒複合型万華鏡。
【００３２】（６）前記オブジェクト側開口部の辺ａ（正多角形の場合はその一辺であり、二等辺三角形の場合は頂角を挟む辺の長さ）に対する鏡筒の長さｃの比が３以上である上記（１）−（５）による多鏡筒複合型万華鏡。ただし、映像の明瞭さを確保するため、長さｃは３０ｃｍ以下が好ましく、特に１５ｃｍ以下が好ましい。
【００３３】（７）前記長さの比ｃ／ａが４以上である上記（１）−（６）による多鏡筒型万華鏡。
【００３４】（８）前記オブジェクトと前記鏡筒が相対的に回転または移動する手段を有する上記（１）−（７）による多鏡筒複合型万華鏡。
【００３５】（９）２個の直角二等辺三角形とその間に二等辺三角形（頂角は例えば３６°）１個を挟んで構成した断面５角形の多鏡筒複合型万華鏡。
【００３６】（１０）前記オブジェクト側開口部から鑑賞窓までの距離が１５ｃｍ以下、特に１ｍｍ〜５ｃｍである上記（１）による多鏡筒複合型万華鏡。
【００３７】（１１）上記（１）−（８）による多鏡筒万華鏡を備えたフロア電気スタンド。
【００３８】その他の態様
【００３９】（１）オブジェクトケースと鏡筒の下端の平面内でＸ又はＹ方向にオブジェクトを支持する軸を移動可能とする。
【００４０】（２）オブジェクトの表面の少なくとも一部に凹凸を形成する。
【００４１】（３）前記オブジェクトの凹凸の少なくとも一部は柔軟材であり、該柔軟材は鏡筒の下端内に侵入することができ、独特の映像を形成することができる。柔軟剤は、起毛した繊維または細いプラスチック繊維または造花などの装飾品であることができる。この場合、オブジェクトまたは鏡筒を相対的に移動させれば、さらに変わった映像が形成される。
【００４２】（４）鏡筒の鑑賞窓の開口部を透明部材で封止する。これにより塵埃が鏡筒内に入るのを防止する。
【００４３】（５）鏡筒の開口面（鑑賞窓及びオブジェクト側の開口部）は多角形及び円のいずれかである。しかし映像が明確で美しいから、多角形が望ましい。
【００４４】（６）映像の鑑賞者から見て、照明をオブジェクトの背後または鑑賞者側に置く。オブジェクトが透明または粒子状物質ならば、照明はオブジェクトの背後におくと映像が鮮やかになる。
【００４５】（７）照明を鑑賞者側から映像にあてる。
【００４６】（８）オブジェクトの一部にホログラフシートを使用する。特にオブジェクト照明を当てるとホログラフの効果（色彩が多様に変化し鮮やかである）が大きい。
ＩＩ．用語の定義
【００４７】（１）オブジェクト：万華鏡の開口部に対向して配置され、種々の文様、図形、形状などが形成された物体である。本発明においてはオブジェクトは鏡筒の開口部に対して静止または相対的に運動（回転または移動）することができる。またオブジェクトは微細粒子、筒あるいは任意の形状を有する物体である。これらの微細物質はオブジェクトケースに液体とともに収容できる。
【００４８】（２）鏡筒：３以上の対向するテーパード反射面によって構成され、オブジェクトの映像等を観察する開口部を有するもの。鏡筒内は空間でも透明または実質的に透明な媒体たとえば透明液体が充填されていてもよい。反射体は、開口部から観察窓の方向に広がった形状（テーパード）を有し、これによって、鏡筒はオブジェクトの立体映像を形成する。鏡筒の長さ（開口部と観察窓間の距離）は、開口部の辺（正三角形の場合はその一辺、二等辺三角形に場合は頂角を挟む辺）に対して３．５倍以上であることが好ましい。
【００４９】（３）オブジェクト側開口部：オブジェクトに対向するように鏡筒に設けられたもので、その面積は、開口部と反対側に位置する観察窓の面積の５０％以下である。本発明において、開口部は複数であり、その複数の開口部は互いに離間されている。鏡筒のオブジェクト側の離間距離は、その長辺の長さの５０％以上、特に１．５倍以下が好ましい。
【００５０】（４）鑑賞窓：これはいわゆる接眼開口部であり、オブジェクト側の開口部と反対側に位置し、オブジェクト開口部よりも面積が大きい。この構成により、鑑賞者は万華鏡をたとえば机上に置いたままで鑑賞することができる。
【００５１】（５）オブジェクトケース：オブジェクト開口部に対向して配置され、映像形成のためのオブジェクトを収容する容器である。水、グリセリンあるいはシリコーンオイルまたはそれらの混合物とともにオブジェクトを収容したり、オブジェクトを単独で収容したりする。
【００５２】（６）駆動源：オブジェクト及び／または鏡筒を相対的に回転または移動させる手段で、モータまたはモータと減速ギヤとの組み合わせ、あるいはモータと１個または複数個のプーリとの組み合わせが例としてあげられる。
【００５３】（７）平行三角形鏡筒：鏡筒の断面が三角（鏡体が３個）で、鏡体は平行な矩形である。
【００５４】（８）テーパード多角形万華鏡：オブジェクト側の開口部の形状と鑑賞窓の開口部の形状が相似形の多角形であるが、鑑賞窓の断面積がオブジェクト側よりも数倍大きい。これに属するものは、以下の（９）〜（１３）の鏡筒がある。テーパード多角形万華鏡のオブジェクト側の開口部は互いに離間している。開口部の多角形状のうち、辺の長さａ（正三角形の場合はいずれの辺でよく、二等辺三角形の場合は頂角を挟む辺の長さ）の０．５ないし２倍の距離ｂ、好ましくは、０．７ないし１．５倍だけ離れていることが望ましい。また、ａに対する鏡筒の長さｃの比（ｃ／ａ）は３以上が望ましく、特に４以上が好ましい。このようにすると、鏡筒間の映像の重なり部分が小さくなり、万華鏡内に大きな映像を形成することができる。
【００５５】  鏡筒の断面の多角形の形状としては、３角ないし８角形が良いが、鏡筒の作りやすさの観点から３角から６角形、特に３角から４角形が好ましい。
【００５６】（９）単位鏡筒：本発明のテーパード多角形万華鏡は、複数の単位鏡筒を組み合わせて構成される。テーパードツイン万華鏡は、２つの単位鏡筒の組見合わせであるし、テーパード四角形万華鏡は４つの、テーパード六角形万華鏡は６つの、テーパード八角形万華鏡は８つの、テーパード十角形万華鏡は１０の単位鏡筒の組み合わせである。
【００５７】（１０）テーパード三角形万華鏡：オブジェクト側の開口部の形状と鑑賞窓の開口部の形状が相似形の三角であるが、鑑賞窓の断面積がオブジェクト側の断面積よりも数倍大きい。
【００５８】（１１）テーパード四角形鏡筒：オブジェクト側の開口部の形状と鑑賞窓の開口部の形状が相似形の四角形であるが、鑑賞窓の断面積がオブジェクト側よりも数倍大きい。
【００５９】（１２）テーパード六角形万華鏡：オブジェクト側の開口部の形状と鑑賞窓の開口部の形状が相似形の六角形であるが、鑑賞窓の断面積がオブジェクト側よりも数倍大きい。
【００６０】（１３）テーパード八角形万華鏡：オブジェクト側の開口部の形状と鑑賞窓の開口部の形状が相似形の八角形であるが、鑑賞窓の断面積がオブジェクト側よりも数倍大きい。
【００６１】（１４）テーパード十角形万華鏡：オブジェクト側の開口部の形状と鑑賞窓の開口部の形状が相似形の十角形であるが、鑑賞窓の断面積がオブジェクト側よりも数倍大きい。
【００６２】（１５）テーパード二重四角形万華鏡：四角形テーパー鏡筒の外面に４つのテーパード三角形鏡筒を一体化したもので、８個のテーパード三角鏡筒によって構成される。
【００６３】（１６）スペーサ：鏡筒のオブジェクト側の複数の開口部を互いに離間させるために必要に応じて開口部間に挿入されるもので、金属、木片、プラスチック板、紙粘土などがある。離間させるのに、鏡筒間を接着剤等により固定すれば、スペーサはなくともよい。
【００６４】ＩＩＩ．実施例
【００６５】  以下、本発明を実施例によって詳細に説明する。
【実施例１】
【００６６】テーパード六角形万華鏡：縦回転オブジェクト【００６７】  この実施例では図１、図２に示すようにテーパード六角形万華鏡を用いたので、回転型オブジェクト７を静止すると、６個の鏡筒内のそれぞれに互いに連接した６個の立体的映像が形成される。鏡筒の壁は隣接する鏡筒によって、二重の壁となる。８は万華鏡の中心である。【００６８】  図２に示すように、縦回転型オブジェクト７は鏡筒４の先端（鏡筒を規準として映像の観察者と反対側）の開口部３に近接し、鏡筒の長手方向の軸に交差する方向に回転可能に配置されている。更には、鏡筒とオブジェクトの間に照明１１が配置され、オブジェクト７を照射するようになっている。【００６９】  円盤状オブジェクトはモータ１２に連結した減速ギヤボックス９のシャフト１９に直結している。モータは乾電池に接続され、スイッチ１０をオンすることにより、照明された明るい、鮮明な映像のオブジェクトが回転し、回転映像が鑑賞できる。図では電源が省略されているが、電源は電池、太陽電池または交流電源でよい。なお、照明及び駆動電源は通常の交流電源でもよいし、電池でもよい。万華鏡な万華鏡ボックス１９’に支持されている。【００７０】  オブジェクト７と鏡筒のオブジェクト側開口部３との距離は、映像が鮮明になるようになるべく小さいほうがよく、１５ｃｍ以下が良く、５ｃｍ以下、特に２ｃｍ以下がよく、１ｍｍから１０ｍｍが適切である場合が多い。【００７１】  図７〜図１０は鏡筒の開口部の形状の例を示し、図７は正三角形で内角は６０°である。これはテーパードツイン鏡筒またはテーパード六角形鏡筒に適用される。【００７２】  図８はテーパード十角形万華鏡の例で、万華鏡の中心部における二等辺三角形の頂角は３６°である。図９はテーパード八角形万華鏡の例で、二等辺三角形の中心部の頂角は４５度である。図１０はテーパード四角形万華鏡鏡筒における開口部形状で、直角二等辺三角形の頂角は９０°である。【００７３】  図１１は、テーパードツイン三角形万華鏡の概略平面図で、２つの隣接した鏡筒の各々に連接した映像２６が観察される。【００７４】  図１２は、テーパード六角形万華鏡における映像の状態を示す。図により明らかなように、各鏡筒内に立体的な映像２７が、連接して観察される。【００７５】  図１３は、テーパード万華鏡の鏡筒のオブジェクト側開口部間の離間距離を説明するもので、鏡筒４間にはスペーサ６を挿入して鏡筒間の距離ｂを調整する。鏡筒間の距離は、図１１、図１２に示す連接映像２６、２７の形状に影響する。離間距離ｂは、開口部の寸法ａ（これは開口部の一辺を指し、正三角形の場合は辺の長さは１つであり、二等辺三角形の場合は頂点を囲む辺の長さである。）の０．５倍から２倍、特に０．７〜１．５倍が良い、ａに対しｂが小さすぎると、映像が重なりすぎ、多鏡筒にした意義が失われ、反対に大きすぎると、鏡筒間の接続の機械的安定性が損なわれるのみならず、万華鏡の中央部に映像が形成されない領域（デッド領域）が大きくなり、万華鏡の魅力がそがれる。鏡筒の長さｃは開口部の辺ａの３倍以上、特に４倍以上が好ましい。３未満では鏡筒内の映像が小さすぎ、美的効果が十分に発揮できない恐れがある。４倍以上とすると、適切な大きさの映像が観察できることが実験で確認された。【００７６】  実施例で用いた鏡板は、厚さ０．１ｍｍのステンレス板で、三角形状鏡板を切り出すために、金属切はさみを用いた。３角形に組み立てるための鏡板間の接続はビニールテープで行った。ステンレス板は補強体（厚紙）に貼り付けて用いた。【００７７】  ステンレス板は反射率が低いという問題があるが、厚さ２ｍｍのアクリル板に鏡面を形成した鏡体（共和ガス化学社製）は反射率が高く、万華鏡の鏡体として好ましい。しかし、ステンレス板は加工が容易であるという利点がある。そのほかに、補強体付ステンレス板、補強体付アルミニウム板、その表面の反射率を利用したアクリル板、アルミニウム板などがある。なお、アクリル板、ポリカーボネート板は透明でも半透明でも、不透明でもよく、ポリカーボネート板、アクリル板の表面反射を利用できるように構成すれば、金属膜等で形成した鏡面はなくともよい。ガラス板ミラーは最も特性が優れているとされているが、加工が難しいので、特に初心者向きの材料ではない。ただし本発明においてこれを使用することを否定するものではない。
【実施例２】
【００７８】テーパード六角形万華鏡：複数オブジェクト【００７９】  この実施例では、図３に示すように、オブジェクト側の開口部のそれぞれにグリセリンとビーズ等を封入したオブジェクトケース１３’を設け、これをテーパード六角形の万華鏡の中心の周りに回転させた。なお、モータ１２によって駆動されるギヤボックス９に接続されたシャフト１９及び万華鏡中心軸１４は万華鏡の中心部に伸びており、鏡筒に接続されているわけではない。オブジェクトの下方からオブジェクトケース１３が照射されるように、鏡筒の下部に照明１１を挿入した。テーパード六角形鏡筒が回転するにつれて、封入したビーズ等がゆっくり動き、変化のある映像を形成する。なお、オブジェクトは液体を含まないドライタイプでもよい。
【実施例３】
【００８０】テーパード十角形万華鏡：水平回転オブジェクト【００８１】  この実施例は図４に示され、テーパード十角形万華鏡１５を用いた。ただし、円盤型オブジェクト１６は水平方向に配置され、そのオブジェクト側開口部３に対向して、オブジェクト盤を水平方向に回転した。鏡筒はオブジェクト盤に対向するように、鏡筒のオブジェクト側の開口部３を下方に向けた。オブジェクト盤１６はモータ１２及び減速ギヤ９のシャフト１９に直結した。【００８２】  オブジェクトの正面に照明１７を当てた結果、反射面として明るい、鮮明な映像がテーパード十角形万華鏡内に形成された。【００８３】  スイッチ１０をオンすることにより、オブジェクト円盤が回転し、生き生きとした、かつ深みのある映像が形成された。なお、鏡筒をほかのタイプに交換することにより、異なった映像を楽しむことができる。
【実施例４】
【００８４】テーパードツイン三角形万華鏡：オブジェクトケース固定【００８５】  この実施例では、図示していないが、図１３によってその構成が理解される。まず、２つのテーパード三角形鏡筒４を用い、そのオブジェクト側開口部にオブジェクトケースを固定した。鏡筒間にはスペーサ６を挿入して鏡筒のオブジェクト側開口部を離間させた。これによって、２つの鏡筒間に隣接した映像が形成される。この万華鏡を回転しながら美しい映像を鑑賞することができる。なお、オブジェクトの表面に対して照明を向けて照射してもよい。上記構成は、本発明におけるもっとも基本的で簡単な構成である。
【実施例５】
【００８６】テーパード六角万華鏡：手持ち回転オブジェクト【００８７】  この実施例では、図示はしていないが、図１、２、３，４に示したテーパード六角形万華鏡を万華鏡ボックスに収納した。照明はテーパード六角形万華鏡のオブジェクト側開口部に固定したオブジェクト（オブジェクトケースにビーズ及びグリセリンを封入）の後方（映像鑑賞者とは反対方向）からオブジェクトを照射した。照明により明るく、鮮明な静止映像を楽しむことができるが、前記ケースを手で抱え、回転することにより、回転映像を楽しむこともできる。
【実施例６】
【００８８】テーパード六角形万華鏡：フロアスタンドへの適用【００８９】  図５はテーパード六角万華鏡をフロアスタンドの装飾として適用した例である。シェード２１により囲まれたフロアスタンドの電球２２の下法にテーパード六角万華鏡１を取り付けた。電球は電源線２０により点灯される。この構成にすれば、オブジェクトの後方から電球で２２によりオブジェクトが照射されることになる。オブジェクトは鏡筒と一体化されている。万華鏡１はモータ及び減速ギヤのシャフトに直結され、スイッチ２３をオンすることにより、万華鏡を回転させた。テーパード六角万華鏡を用いたフロアスタンドの新規な装飾となり、くつろぎの空間が構成される。なお、テーパード六角形万華鏡は静止型であってもよい。なお、上記思想は卓上電気スタンドにも適用できる。
【実施例７】
【００９０】テーパード六角万華鏡：額縁への適用【００９１】  本発明の主要な目的は、オブジェまたは置物や生け花などを眺めるように、簡単に鑑賞できる万華鏡を提供することであり、そのため上記実施例１〜６では置物や生け花などを鑑賞するように映像を楽しむことができる。この利点を通常の額縁に適用したのが図５に示す実施例７である。１つの額縁２４内に、４つのテーパード六角形万華鏡２５が配置されている。各テーパード六角形万華鏡のオブジェクト側開口部にはたとえば、オブジェクトが固定されている。額縁の裏側には（鑑賞者と反対側）には照明を配置するのが好ましい。【００９２】  上記構成において、鏡筒の長さ（図１３におけるｃ）をなるべく短くして、窓としての機能を維持するようにする。たとえば、鏡筒の厚さ（前記オブジェクト側開口部から鑑賞側開口部までの距離）は１５ｃｍ以下が好ましい。特に、３ｃｍから８ｃｍであると、装飾として適切である。なお、この実施例は窓枠へも適用できる。
【産業上の利用可能性】
【００９３】  本発明の万華鏡は、広い角度で、広い鑑賞面を形成することができるので、多くの人が映像を楽しむことができ、したがって、個人用としてだけでなく、学校、病院、老人ホーム、幼稚園、ホテル、商店などの装飾またはアトラクション等に適用できる。
【符号の説明】
【００９４】１、２５：万華鏡、２、４、１５：鏡筒、７、１６：オブジェクト盤、５：鑑賞者側開口部、３：オブジェクト側開口部、１０：スイッチ、１２：モータ、８：万華鏡中心、９：減速ギヤボックス、１１：照明、６：スペーサ、１３’：オブジェクトケース、１４：万華鏡中心軸、１８：万華鏡ボックス、１９：ギヤボックスシャフト
【図１】
2015169942.tif 000003
【図２】
2015169942.tif 000004
【図３】
2015169942.tif 000005
【図４】
2015169942.tif 000006
【図５】
2015169942.tif 000007
【図６】
2015169942.tif 000008
【図７】
2015169942.tif 000009
【図８】
2015169942.tif 000010
【図９】
2015169942.tif 000011
【図１０】
2015169942.tif 000012
【図１１】
2015169942.tif 000013
【図１２】
2015169942.tif 000014
【図１３】
2015169942.tif 000015
【手続補正書】
【提出日】平成26年6月10日(2014.6.10)
【手続補正１】
【補正対象書類名】特許請求の範囲
【補正対象項目名】全文
【補正方法】変更
【補正の内容】
【特許請求の範囲】
【請求項１】
複数の反射面によって構成された鏡筒、該鏡筒は鑑賞するオブジェクトに対向するオブジェクト側開口部と、該開口部の反対側に位置する鑑賞窓を有し、前記反射面は、前記オブジェクト開口部から前記鑑賞窓に向かって拡大するテーパーを有する形状を有し、
前記オブジェクト開口部は、互いに離間し、鑑賞窓から観察されるオブジェクト映像が実質的に複数の立体的映像として表示させることを特徴とする多鏡筒型万華鏡。
【請求項２】
前記オブジェクト開口部の離間距離ｂと、開口部の多角形の辺ａ（正多角形の場合はその一辺であり、二等辺三角形の場合は頂角を挟む辺）との比（ｂ／ａ）は０．７〜１．５であることを特徴とする請求項１に記載の多鏡筒型万華鏡。
【請求項３】
鏡筒と鏡筒との間にスペーサを挿入して前記鏡筒間を離間させることを特徴とする請求項１に記載の多鏡筒型万華鏡。
【請求項４】
前記オブジェクトの後方でかつ鑑賞者とは反対側から照明を当てることを特徴とする請求項１に記載の多鏡筒型万華鏡。
【請求項５】
前記鏡筒とオブジェクトを相対的に回転または移動させる手段を有することを特徴とする請求項１から４のいずれかに記載の多鏡筒型万華鏡。
【請求項６】
前記オブジェクト開口部の辺ａ（正多角形の場合はその一辺であり、二等辺三角形の場合は頂角を挟む辺の長さ）に対する鏡筒の長さ（オブジェクト側開口部と鑑賞側開口部との間の辺の長さ）ｃの比ｃ／ａが３以上であることを特徴とする請求項１から５のいずれかに記載の多鏡筒型万華鏡。
【請求項７】
前記長さの比ｃ／ａが４以上であることを特徴とする請求項６に記載の多鏡筒型万華鏡。
【請求項８】
前記オブジェクトと前記鏡筒が相対的に回転または移動させる手段を有することを特徴とする請求項１〜７のいずれかに記載の多鏡筒型万華鏡。
【請求項９】
前記鏡筒の長さ（前記オブジェクト開口部から鑑賞側開口部までの距離）が１５ｃｍ以下であることを特徴とする請求項１〜７のいずれかに記載の多鏡筒型万華鏡。